(57)【要約】【課題】  ぶれ現象を押えて走行安定性を計り、長時間の着用においても疲労度の少ない快適感にすぐれるタイツを提供する。【解決手段】  腰部から前足首部までを覆う前部分２と、後腰部下端から後足首部までを覆う後部分３と、側腰部の大転子点から外踝部までを覆う外側部分４と、外側部分４の上端部から後腰部側に一体に突出し後腰部を覆う後腰部持出し部分５と、股底部から内踝部までを覆う内側部分６と、外膝部をサポートする外膝サポート部分７と、内膝部をサポートする内膝サポート部分８と、後腰部から縫工筋および内転筋群を覆い内膝サポート部分の上方位置まで延びる縫工筋および内転筋群サポート部分９を有し、  外側部分４、後腰部持出し部分５、各サポート部分６，７，８は、他の部分よりも伸びが強い強伸縮素材により形成されている。【選択図】  図１
2006207056.tif 000002
【特許請求の範囲】
【請求項１】
膝頭部の圧迫分を補う量だけ長く、股関節の屈曲による余り量だけ短く、腰部から膝頭を介して前足首部までを覆う前部分と、
膝窩部の余り量だけ短く、膝関節の前屈によって生じる臀溝部から内股部を通り膝頭に到る引きつれを緩和する量だけ長く、後腰部下端から臀部を介して後足首部までを覆う後部分と、
股関節の大転子点で後部分側に凸状に屈曲し、外膝部で前部分側に凸状に屈曲する緩やかな蛇行形状をなし、側腰部の大転子点から膝関節外膝部を介して外踝部までを覆う外側部分と、
外側部分の上端部から後腰部側に一体に突出し後腰部を覆う後腰部持出し部分と、
内膝部で前部分側に凸状に屈曲する緩やかなく字形状をなし、股底部から内股部および内膝部を介して内踝部までを覆う内側部分と、
膝頭形状にほぼ倣った凹状部分を有し、外側部分および前部分の外面側に配置され、外膝部をサポートする外膝サポート部分と、
膝頭形状にほぼ倣った凹状部分を有し、内側部分および前部分の外面側に配置され、内膝部をサポートする内膝サポート部分と、
後腰部から縫工筋および内転筋群を覆い内膝サポート部分の上端位置まで延びる縫工筋および内転筋群サポート部分とを備え、
外側部分、後腰部持出し部分、各サポート部分は、他の部分よりも伸びが強い強伸縮素材により形成されていることを特徴とするタイツ。
【発明の詳細な説明】
【技術分野】
【０００１】
本発明は、スポーツ用アウター全般に用いられるタイツに係り、特に、脚の瞬発運動を安定的に促進する長時間快的耐用のタイツに関する。
【背景技術】
【０００２】
一般に、タイツパターンの基本構造は、静体位の立脚に対する適合性を主目的としたもので、人体に対する運動適応機能は、それにゆとりを加えて構成するのが通例である。
【０００３】
従来のタイツは、素材の伸縮機能が極めて重要で、素材の機能に安易にたよる傾向があり、運動適応機能の表現は二次的に扱われている。
【０００４】
しかしながら、このようなタイツの基本構造は、運動適応性が少なく、伸縮素材そのものも伸びるための反作用があり、人体の圧迫が疲労につながる場合が多く、伸縮性素材を使用する場合でも、その反作用を可及的軽減するような運動適応構造にすることがが望ましい。
【０００５】
本発明者は、特許第３２４１６０８号に示されているように、運動形態に適応するパターンのタイツを開発した。特許第３２４１６０８号に記載されたタイツは、下半身の脚の運動軸となっている後腰部から外側の大転子（股関節）、腸脛靱帯、膝外側々副靱帯、外踝の機能連鎖上を一連の高伸縮素材を用いた形で押さえ、脚運動ごとに圧力刺激が加わって脚のその運動軸を強化安定させ、結果的に脚運動のバランスを整えて効率を上げ、筋負担になるような不必要な締めつけをせずに長時間の着用に耐えるようにしている。
【特許文献１】特許第３２４１６０８号
【発明の開示】
【発明が解決しようとする課題】
【０００６】
上記形式のタイツは、中距離走ないし長距離走には有効性が確認されているが、短距離走のように瞬発的動作が繰り返される場合には、膝の前方への引き上げ機能を欠くと同時に、膝部分の外側圧に対する内側圧の拮抗性を欠き、膝の微妙なぶれを押えることができない、という問題点がある。
【０００７】
本発明者は、人体構造、とりわけ縫工筋及び内転筋の働きを解析することにより、縫工筋が大腿部の前側および外側を縦方向に走る筋群（大腿直筋・外側広筋・腸脛靱帯）と内転筋群とを斜めに区分するだけでなく、両者の機能を分担し、脚上げ運動にかなり複雑に作用する筋であり、しかも、縫工筋と内転筋群が膝上げのポジショニングに関係することを解明した。
【０００８】
本発明は、従来技術の有する問題点を解消し、ぶれ現象を押えて走行安定性を計り、長時間の着用においても疲労度の少なく、快適性にすぐれたタイツを提供することを目的とする。
【課題を解決するための手段】
【０００９】
本発明のタイツは、膝頭部の圧迫分を補う量だけ長く、股関節の屈曲による余り量だけ短く、腰部から膝頭を介して前足首部までを覆う前部分と、膝窩部の余り量だけ短く、膝関節の前屈によって生じる臀溝部から内股部を通り膝頭に到る引きつれを緩和する量だけ長く、後腰部下端から臀部を介して後足首部までを覆う後部分と、股関節の大転子点で後部分側に凸状に屈曲し、外膝部で前部分側に凸状に屈曲する緩やかな蛇行形状をなし、側腰部の大転子点から膝関節外膝部を介して外踝部までを覆う外側部分と、外側部分の上端部から後腰部側に一体に突出し後腰部を覆う後腰部持出し部分と、内膝部で前部分側に凸状に屈曲する緩やかなく字形状をなし、股底部から内股部および内膝部を介して内踝部までを覆う内側部分と、膝頭形状にほぼ倣った凹状部分を有し、外側部分および前部分の外面側に配置され、外膝部をサポートする外膝サポート部分と、膝頭形状にほぼ倣った凹状部分を有し、内側部分および前部分の外面側に配置され、内膝部をサポートする内膝サポート部分と、後腰部から縫工筋および内転筋群を覆い内膝サポート部分の上端位置まで延びる縫工筋および内転筋群サポート部分とを備え、外側部分、後腰部持出し部分、各サポート部分は、他の部分よりも伸びが強い強伸縮素材により形成され、脚の瞬発運動を安定的に促進する長時間快的耐用を可能にしている。
【発明の効果】
【００１０】
本発明によれば、ハムストリングス（大腿二頭筋等）の大腿部前出しを促進する作用に連動する膝の前上方への瞬発的な引き上げ作用を促進させることができ、特に、短距離走行時における膝の緊張弛緩運動で発生する膝頭の内側および外側へのぶれを防止し、安定的に直進方向への加速作用を助けることができ、長時間の着用においても締めつけによる疲労感をともなわず、高度の快適性を保持することができる。
【発明を実施するための最良の形態】
【００１１】
以下、本発明によるタイツの一実施形態を添付図面を参照しながら説明する。  
図１（ａ）〜（ｄ）は、本発明の実施の一形態に係るタイツ１の前面、右内側面、右外側面、後面をそれぞれ示す図である。
【００１２】
図２（ａ）〜（ｅ）は、本発明のタイツ１を構成する前部分２、後部分３、外側部分４、後腰部持出し部分５、内側部分６、外膝サポート部分７、内膝サポート部分８、縫工筋および内転筋群サポート部分９を分解して示す展開図である。
【００１３】
本発明のタイツ１は、図１および図２に示すように、前部分２、後部分３、外側部分４、後腰部持出し部分５、内側部分６、外膝サポート部分７、内膝サポート部分８、縫工筋および内転筋群サポート部分９により形成されるタイツ半部と、これと対称形状の各部分により形成されるタイツ半部とを縫合することで構成される。
【００１４】
前記前部分２は、図１（ａ）および図２（ｂ）に示すように、ウエストラインＷ・Ｌの腹部から膝頭１０を介して前足首部１１までを覆うものであり、内側部分６との縫合縁２ａおよび外側部分４との縫合縁２ｂのうち膝頭１０付近が上下方向に拡張され、膝関節の屈曲に伴なう圧迫が軽減され、他の一組の前部分２との縫合縁２ｃが短くなり、股関節の屈曲に伴なう前部分２の余り部分が除去される。
【００１５】
前記後部分３は、図１（ｄ）および図２（ｄ）に示すように、後腰部下端から臀部１２および膝窩部１３を介して後足首部１４までを覆うものであり、外側部分４との縫合縁３ａおよび他の一組の後部分３との縫合縁３ｂのうち、臀部１２下方までの範囲が長くなって、股関節の屈曲に伴なう臀部１２付近の圧迫が軽減され、外側部分４との縫合縁３ａおよび内側部分６との縫合縁３ｃのうち、膝窩部１３付近が短くなり、膝関節の屈曲に伴なう後部分２の折れ皺が除去される。
【００１６】
前記外側部分４は、図１（ｃ）および図２（ｃ）に示すように、ウエストラインＷ・Ｌの側腰部から股関節の大転子点１５および外膝部１６を介して外踝部１７までを覆うものであり、前記大転子点１５位置において後部分３側に凸状に屈曲するとともに外膝部１６位置において前部分２側に凸状に屈曲する緩やかな蛇行形状をなしている。外側部分４は、この蛇行形状により、前部分２との縫合縁４ａのうち、大転子点１５付近の寸法が短くなって、股関節の屈曲に伴なう前部分２の折れ皺が除去され、外膝部１６付近の寸法が長くなって、膝関節の屈曲に伴なう圧迫が軽減される。
【００１７】
また、外側部分４は、後部分３との縫合縁４ｂのうち、大転子点１５付近の寸法が長くなって、股関節の屈曲に伴なう圧迫が軽減され、外膝部１６付近の寸法が短くなって、膝関節の屈曲に伴なう後部分３の膝窩部１３の余り皺が除去される。
【００１８】
前記後腰部持出し部分５は、図１（ｃ）および図２（ｃ）に示すように、外側部分４の上端部から後腰部側に一体に突出し、後部分３の上端部からウエストラインＷ・Ｌまでの後腰部を覆っている。
【００１９】
前記内側部分６は、図１（ｂ）および図２（ａ）に示すように、股底部１８から内股部１９および内膝部２０を介して内踝部２１までを覆うものであり、内膝部２０位置において前部分２側に凸状に屈曲する緩やかなく字形状をなしている。内側部分６は、このく字形状により、後部分４との縫合縁６ａのうち、内膝部２０付近の寸法が短くなって膝関節の屈曲に伴なう後部分４の折れ皺が除去され、前部分２との縫合縁６ｂのうち内膝部２０付近の寸法が長くなって、膝関節の屈曲に伴なう圧迫が軽減される。
【００２０】
また、内側部分６は、上端部の幅寸法が適当量だけ幅広に形成され、内股部の伸長方向を満たすよう考慮されている。
【００２１】
前記外膝サポート部分７は、図１（ｃ）および図２（ｃ）に示すように、外側部分４および前部分２の外面側に縫合されて外膝部１６をサポートする。外膝サポート部分７は、基端が外側部分４の縫合縁４ｂの形状と一致し、両斜辺が内側に湾曲する曲線をなし、先端が膝頭１０の形状にほぼ倣った凹状をなしている。
【００２２】
前記内膝サポート部分８は、図１（ｂ）および図２（ａ）に示すように、内側部分６および前部分２の外面側に縫合されて内膝部２０をサポートする。内膝サポート部分８は、基端が内側部分６の縫合縁６ａの形状と一致し、両斜辺が内側に湾曲する曲線をなし、先端が膝頭１０の形状にほぼ倣った凹状をなしている。
【００２３】
前記外膝サポート部分７と内膝サポート部分８は、共働することで膝関節の屈曲に伴なう膨隆による周りからの引きつれと、上下方向の伸長に伴なう二重の引きつれとを物理的に分散して軽減し、内側および外側から膝の靭帯をサポートする。
【００２４】
前記縫工筋および内転筋群サポート部分９は、図１（ａ）ないし（ｃ）および図２（ｅ）に示すように、後腰部から縫工筋および内転筋群を覆い内膝サポート部分８の上端位置までを覆うものである。縫工筋と内転筋群は、膝上げの位置を維持するポジショニングの働きをする。
【００２５】
縫工筋は、長い帯状の最も幅の広い部分で約４ｃｍ位の筋で、骨盤の上前腸骨棘から起始し、大腿前面を斜め内側方向に下降し、膝の内側後ろを通って下腿の脛骨粗面に固くついている筋である。縫工筋は、大腿を前方に上げたり、あぐらをかく方向に膝を外旋し外転する場合に、腸脛靱帯が膝の外側にあって膝を内側方向に押さえるが、その圧力に拮抗する作用をする筋であり、相互のバランスにより大腿四頭筋の膝伸ばし機能も加わって動的状態の膝の位置が保たれる。
【００２６】
内転筋群は、長内転筋、短内転筋、大内転筋で内転筋群とするが、いずれも骨盤の恥骨結節（大内転筋の一部分は坐骨結節から）から起始し、大腿骨粗線（大内転筋の一部分は大腿骨の内側上顆）に扇状に広がってつく筋である。すなわち、内転筋群は、大腿を体の正中方向に引きつける働きをする。例えば、ランニングで足が離れた後、大腿を前方に振りもどし、大きい脚運動をするときは強く引きもどす働きをする。
【００２７】
前記縫工筋および内転筋群サポート部分９は、図２（ｅ）に示すように、上端がウエストライン（Ｗ・Ｌ）の後中心ａからウエストラインに沿い上前腸骨棘をおおう点ｂまで延び、この点ｂから上前腸骨棘の前を通り、縫工筋の上縁をおおいながら斜降し、内転筋群を徐々におおうようにカーブして股底部内側の切り換え点ｃ，ｄに至り、点ｄから切り換え線に沿って下降し、内膝サポート部分８の後上端位置ｅに至り、この点ｅから内膝サポート部分８の上端に沿って点ｆまで延びる。
【００２８】
このように、前記縫工筋および内転筋群サポート部分９は、下端が後面の後中心ａから下降する点ｈより前面の縫工筋の下縁に沿うように斜行し、タイツの内側面にある切り換え線に沿うようにカーブして点ｆに至り、ここから内膝サポート部分８の後上端位置ｅに至る。
【００２９】
縫工筋および内転筋群サポート部分９においては、上端ａーｂの長さは、外側部分４に一体の後腰部持出し部分５のウエストラインに沿った長さに対応する。点ｂーｃの長さは、前部分２における縫工筋の上縁に沿う長さに対応する。点ｃーｄの長さは、内側部分６の幅に対応する。点ｄーｅの長さは、内側部分６の長さ方向に点ｄの位置から内膝サポート部分８の後上端位置までの長さに対応する。点ａーｈの長さは、後腰部持出し部分５の長さ方向にに沿った長さに対応する。点ｇーｈの長さは、後腰部持出し部分５の下縁に沿った長さに対応する。点ｆーｇの長さは、前部分２における縫工筋の下縁に沿う長さに対応する。
【００３０】
縫工筋および内転筋群サポート部分９は、図３（ａ）〜（ｅ）に示すように、外側部分４に一体の後腰部持出し部分５の上に重なり、ここから、前部分２の縫工筋に対応する部位を通り内側部分６の内膝サポート部分８の後上端位置まで延びるように位置される。
【００３１】
すなわち、縫工筋および内転筋群サポート部分９は、後中心からウエストラインに沿い上前腸骨棘を覆い、上前腸骨棘の前を通り、縫工筋を覆いながら斜降し、内転筋群を徐々に覆うようにカーブし、内膝サポート部分８の後上端位置まで延びている。
【００３２】
本発明のタイツ１は、後腰部持出し部分５を一体形成した外側部分４、両サポート部分７，８、外膝サポート部分７および内膝サポート部分８、縫工筋および内転筋群サポート部分９を、他の部分である前部分２，後部分３および内側部分６よりも伸びが強い強伸縮素材で形成している。
【００３３】
しかして、本発明によるタイツ１においては、前部分２、後部分３、後腰部持出し部分５を一体に設けた外側部分４および内側部分６を、その縫合縁２ａ，２ｂ，縫合縁３ａ，３ｂ、縫合縁４ａ，４ｂ，縫合縁５ａ，５ｂに沿って相互に縫合することで一対のタイツ半部分を形成し、各タイツ半部分に、外膝サポート部分７およひ内膝サポート部分８を膝頭１０を囲むように縫着し、縫工筋および内転筋群サポート部分９を外側部分４に一体の後腰部持出し部分５の上から前部分２の上を縫工筋に沿い内側部分６の内膝サポート部分８の後上端位置まで延びるように縫着し、このようにして形成される一対のタイツ半部分を縫合縁２ｃ，２ｃ、３ｂ，３ｂ、４ｃ，４ｃを介し相互に縫合することでタイツ１が作製される。
【００３４】
本発明のタイツ１においては、前部分２、後部分３および内側部分６を、混率がポリエステル８２％、ポリウレタン１８％で３０デニールの糸を用い、目付２５０．０ｇ／ｍ2 、２８ゲージのトリコット編み地で形成する。このトリコット編地の伸縮率は、縦１６３％、横１５２％である。また、後腰部持出し部分５を一体形成した外側部分４、両サポート部分７，８、外膝サポート部分７および内膝サポート部分８、縫工筋および内転筋群サポート部分９を、混率がナイロン８１％、ポリウレタン１９％で、共に７０デニールの糸を用い、目付３１５．０ｇ／ｍ2 、２８ゲージのトリコット編の強伸縮布地で形成する。このトリコット編の強伸縮布地の伸縮率は、縦１１１％、横１１０％であり、前部分２等に比べ３４％伸びが強くなっている。
【００３５】
なお、本発明のタイツ１は、長時間の耐用を目的としているので、前部分２、後部分３および内側部分６のストレッチ素材を衣服圧３０ｇｆ／ｃｍ２以下とし、後腰部持出し部分５を一体形成した外側部分４、両サポート部分７，８、外膝サポート部分７および内膝サポート部分８、縫工筋および内転筋群サポート部分９の強伸縮素材を衣服圧４０ｇｆ／ｃｍ２以上とすることが好ましい。
【００３６】
つぎに本発明のタイツ１の作用を説明する。
【００３７】
本発明のタイツ１は、図４に示すように、高伸縮素材を使用した縫工筋および内転筋群サポート部分９を後腰部から縫工筋および内転筋群を覆い内膝サポート部分８の上端位置までを覆うように配置し、高伸縮素材を使用した外膝サポート部分６と内膝サポート部分８を膝頭１０を囲むように配置したことで、腸脛靱帯ｔｒ、縫工筋ｓａ、内転筋群ａｄに矢印方向に伸びる力を作用し、腸脛靱帯ｔｒの作用による膝部分にあたえる外側圧Ｐ．ｏｕｔに対し、縫工筋ｓａ及び内転筋群ａｄの作用によって生じる膝部分の内側圧Ｐ．ｉｎが拮抗的関係になる。
【００３８】
すなわち、縫工筋および内転筋群サポート部分９は、後腰部から連続する基盤的状態の上に支えられて縫工筋ｓａ上を覆い膝内側部に至っており、その間の部分において内転筋ａｄの作用のように縫工筋ｓａを内股部分に引っ張る作用をするので、安定した状態で膝内側部に至り、腸脛靱帯ｔｒの外側圧Ｐ．ｏｕｔに拮抗できる。
【００３９】
このように、本発明のタイツ１は、腸脛靱帯ｔｒがもたらす外側圧Ｐ．ｏｕｔと縫工筋ｓａがもたらす内側圧Ｐ．ｉｎとが拮抗性を保つことにより、脚運動による膝部分の内外側方向へのぶれが押さえられ、安定した膝の前方への引き上げ運動が効率よくスムースに行なわれる。
【図面の簡単な説明】
【００４０】
【図１】（ａ）は本発明の実施の一形態に係るタイツの前面図、（ｂ）は同タイツの右内側図、（ｃ）は同タイツの右外側図、（ｄ）は同タイツの後面図である。
【図２】図１のタイツの一方のタイツ半部を構成する各部分の展開図である。
【図３】縫工筋および内転筋群サポート部分の各部分に対する配置を示す図である。
【図４】本発明のタイツの膝部分の圧力の拮抗性を示す図である。
【符号の説明】
【００４１】
２ 前部分
３ 後部分
４ 外側部分
５ 後腰部持出し部分
６ 内側部分
７ 外膝サポート部分
８ 内膝サポート部分
９縫工筋および内転筋群サポート部分
１０ 膝頭
【図１】
2006207056.tif 000003
【図２】
2006207056.tif 000004
【図３】
2006207056.tif 000005
【図４】
2006207056.tif 000006